(57)【要約】      （修正有）【課題】瓶口の開閉が迅速で省力であり、取外して洗浄するのに便利であり、各タイプの容器の瓶口に嵌合して利用することが可能な簡便式瓶口封止装置を提供する。【解決手段】容器３０の開口端３１に嵌合することが可能であり、その上端には、半径方向に延びて予定の造形を呈する受け部が形成されており、受け部の外側の周縁には、規制環状壁１２１が形成されており、受け部の端面の中央には、容器３０の開口端３１の内部と連通する貫通孔が設けられており、受け部の端面の貫通孔からずれる位置に固定挟み台１３が設けられている嵌合子と、弾性を有する材料で作製され、嵌合子の固定挟み台１３に挿入して定位するベース脚２１を有し、ベース脚２１の上端には、傾斜に延びている円弧形トレイ２２が設けられており、円弧形トレイ２２は、上方に弾性的に曲がることが可能であり、下方に弾性的に曲がることも可能である封止子２０と、を含む。【選択図】図３
0003191230.tif 000002
【実用新案登録請求の範囲】
【請求項１】
容器の開口端に嵌合することが可能であり、その上端には、半径方向に延びて所定の形状を呈する受け部が形成されており、前記受け部の外側の周縁には、規制環状壁が形成されており、前記受け部の端面の中央には、前記容器の前記開口端の内部と連通する貫通孔が設けられており、前記貫通孔により、前記容器に収容される内容物を外部に注ぐことが可能であり、前記受け部の端面の前記貫通孔からずれる位置に固定挟み台が設けられている嵌合子と、
弾性を有する材料で作製され、前記嵌合子の前記固定挟み台に挿入して定位するベース脚を有し、前記ベース脚の上端には、傾斜して延びている円弧形トレイが設けられており、前記円弧形トレイは、上方に弾性的に曲がることが可能であり、下方に弾性的に曲がることも可能であり、前記円弧形トレイが下方に弾性的に曲がるときには、前記受け部の前記規制環状壁をカバーして封止し、前記円弧形トレイが上方に弾性的に曲がるときには、前記受け部から離れる封止子と、を含むことを特徴とする、
簡便式瓶口封止装置。
【請求項２】
前記固定挟み台は、互いに分離するように設けられている複数の挟みシートと、これらの前記挟みシートの間に形成される定位空間と、を有し、前記ベース脚の下端にヘッド部が設けられており、前記ヘッド部は、前記定位空間に挿入して定位されることが可能であることを特徴とする、請求項１に記載の簡便式瓶口封止装置。
【請求項３】
前記固定挟み台の下側には、前記容器の内部と独立に連通する空気案内穴が設けられていることを特徴とする、請求項１に記載の簡便式瓶口封止装置。
【請求項４】
前記受け部の端面には、前記固定挟み台と前記規制環状壁の間に位置して上方に延びる導流ウォールが設けられており、前記導流ウォールの前端には、前記貫通孔にある内容物を集中してガイドする注ぎ口が設けられていることを特徴とする、請求項１に記載の簡便式瓶口封止装置。
【請求項５】
前記嵌合子の下端には、下方に延びて所定のテーパー度を有する中空プラグが設けられており、前記中空プラグは、前記容器の瓶口に嵌合することが可能であることを特徴とする、請求項１に記載の簡便式瓶口封止装置。
【請求項６】
前記固定挟み台の下側には、前記容器の内部と独立に連通する空気案内チューブが設けられていることを特徴とする、請求項１に記載の簡便式瓶口封止装置。
【請求項７】
前記嵌合子の前記規制環状壁の裏側の端縁に止め肩部が設けられており、前記封止子の周辺円弧面の端面の下側には、漏止条が設けられており、前記漏止条は前記止め肩部に密着するためのものであることを特徴とする、請求項１に記載の簡便式瓶口封止装置。
【請求項８】
前記嵌合子の前記受け部は、水平線との所定の開角で上方に傾斜して延びることを特徴とする、請求項１に記載の簡便式瓶口封止装置。
【請求項９】
前記円弧形トレイの端面には、前記ベース脚の反対面を囲む区域に折線軌跡が設けられており、前記折線軌跡の両側には、中央円弧面と、周辺円弧面と、がそれぞれ設けられており、前記周辺円弧面は前記折線軌跡をハブとすることを特徴とする、請求項１に記載の簡便式瓶口封止装置。
【考案の詳細な説明】
【技術分野】
【０００１】
本考案は、瓶口封止装置に関し、特に、簡便式瓶口封止装置に関するものである。
【背景技術】
【０００２】
ボトルやキャニスターなどの容器は、開けられた後、完全に内容物の使用が済んでいない状態において、内容物の溢れ出し及びホコリの容器への侵入を防止し、又は内容物の再度の使用を便利にするために、容器の瓶口に迅速に開閉可能な封止装置を嵌合することが一般的である。しかし、市販している容器の瓶口の設計は、オスねじを有する瓶口にメスねじを有する蓋を螺合するという方式を採用する。このように、瓶口に蓋を螺合するには、時間がかなり掛かる。
【考案の概要】
【考案が解決しようとする課題】
【０００３】
本考案の主な目的は、瓶口の開閉が迅速で省力である簡便式瓶口封止装置を提供することにある。
【０００４】
本考案の次の目的は、取外して洗浄するのに便利であり、各タイプの容器の瓶口に嵌合して利用することが可能な簡便式瓶口封止装置を提供することにある。
【課題を解決するための手段】
【０００５】
本考案の簡便式瓶口封止装置は、容器の開口端に嵌合することが可能であり、その上端には、半径方向に延びて予定の造形を呈する受け部が形成されており、受け部の外側の周縁には、規制環状壁が形成されており、受け部の端面の中央には、容器の開口端の内部と連通する貫通孔が設けられており、貫通孔により、容器に収容される内容物を外部に注ぐことが可能であり、受け部の端面の貫通孔からずれる位置に固定挟み台が設けられている嵌合子と、弾性を有する材料で作製され、嵌合子の固定挟み台に挿入して定位するベース脚を有し、ベース脚の上端には、傾斜に延びている円弧形トレイが設けられており、円弧形トレイは、上方に弾性的に曲がることが可能であり、下方に弾性的に曲がることも可能であり、円弧形トレイが下方に弾性的に曲がるときには、受け部の規制環状壁をカバーして封止し、円弧形トレイが上方に弾性的に曲がるときには、受け部から離れる封止子と、を含むことを特徴とする。
【０００６】
本考案の簡便式瓶口封止装置は、固定挟み台は、互いに分離するように設けられている複数の挟みシートと、これらの挟みシートの間に形成される定位空間と、を有し、ベース脚の下端にヘッド部が設けられており、ヘッド部は、定位空間に挿入して定位されることが可能であることを特徴とする。
【０００７】
本考案の簡便式瓶口封止装置は、固定挟み台の下側には、容器の内部と独立に連通する空気案内穴が設けられていることを特徴とする。
【０００８】
本考案の簡便式瓶口封止装置は、受け部の端面には、固定挟み台と規制環状壁の間に位置して上方に延びる導流ウォールが設けられており、導流ウォールの前端には、貫通孔にある内容物を集中してガイドする注ぎ口が設けられていることを特徴とする。
【０００９】
本考案の簡便式瓶口封止装置は、嵌合子の下端には、下方に延びて予定のテーパー度を有する中空プラグが設けられており、中空プラグは、容器の瓶口に嵌合することが可能であることを特徴とする。
【００１０】
本考案の簡便式瓶口封止装置は、固定挟み台の下側には、容器の内部と独立に連通する空気案内チューブが設けられていることを特徴とする。
【００１１】
本考案の簡便式瓶口封止装置は、嵌合子の規制環状壁の裏側の端縁に止め肩部が設けられており、封止子の周辺円弧面の端面の下側には、漏止条が設けられており、漏止条は止め肩部に密着するためのものであることを特徴とする。
【００１２】
本考案の簡便式瓶口封止装置は、嵌合子の受け部は、水平線との予定の開角で上方に傾斜して延びることを特徴とする。
【００１３】
本考案の簡便式瓶口封止装置は、円弧形トレイの端面には、ベース脚の反対面を囲む区域に折線軌跡が設けられており、折線軌跡の両側には、中央円弧面と、周辺円弧面と、がそれぞれ設けられており、周辺円弧面は折線軌跡をハブとすることを特徴とする。
【考案の効果】
【００１４】
本考案の簡便式瓶口封止装置は、瓶口の開閉が迅速で省力であり、取外して洗浄するのに便利であり、各タイプの容器の瓶口に嵌合して利用することが可能であるという効果を有する。
【図面の簡単な説明】
【００１５】
【図１】本考案の一実施例を示す分解斜視図である。
【図２】本考案の一実施例の組合済み状態を示す斜視図である。
【図３】本考案の一実施例の開状態を示す断面図である。
【図４】本考案の一実施例の閉状態を示す斜視図である。
【図５】本考案の一実施例の閉状態を示す断面図である。
【図６】本考案の嵌合子を示す上面図である。
【考案を実施するための形態】
【００１６】
以下、本考案の実施の形態を図面に基づいて説明する。
図１から図６を参照する。図１は本考案の一実施例を示す分解斜視図であり、図２は本考案の一実施例の組合済み状態を示す斜視図であり、図３は本考案の一実施例の開状態を示す断面図であり、図４は本考案の一実施例の閉状態を示す斜視図であり、図５は本考案の一実施例の閉状態を示す断面図であり、図６は本考案の嵌合子を示す上面図である。本考案の簡便式瓶口封止装置は、嵌合子１０と、封止子２０と、を含む。
【００１７】
嵌合子１０は、容器３０の開口端３１に嵌合することが可能であり、その下端には、下方に延びて予定のテーパー度を有する中空プラグ１１が設けられており、中空プラグ１１は、各タイプの容器の瓶口に嵌合することが可能である。
嵌合子１０の上端には、半径方向に延びて予定の造形を呈する受け部１２が形成されている。受け部１２は、水平線Ｓとの予定の開角Ｑで上方に傾斜して延び、その外側の周縁には、規制環状壁１２１が形成されている。規制環状壁１２１の裏側の端縁に止め肩部１２１Ａが設けられている。受け部１２の端面の中央には、容器３０の開口端３１の内部と連通する貫通孔１２２が設けられている。貫通孔１２２により、容器３０に収容される内容物を外部に注ぐことが可能である。
受け部１２の端面の貫通孔１２２からずれる位置に固定挟み台１３が設けられている。固定挟み台１３は、互いに分離するように設けられている複数の挟みシート１３１と、これらの挟みシート１３１の間に形成される定位空間１３２と、を有する。定位空間１３２の底部に空気案内穴１３３が設けられている。空気案内穴１３３の下端には、下方に延びる空気案内チューブ１３４が設けられている。空気案内チューブ１３４は、容器３０の内部と独立に連通する。受け部１２の端面には、固定挟み台１３と規制環状壁１２１の間に位置して上方に延びる導流ウォール１２３が設けられている。導流ウォール１２３の前端には、貫通孔１２２にある内容物を集中してガイドする注ぎ口１２３Ａが設けられている。
【００１８】
封止子２０は、図１及び図３に示すように、弾性を有する材料（例えばシリコーンなど）で作製され、ベース脚２１を有する。ベース脚２１の下端にヘッド部２１１が設けられている。このように、固定挟み台１３の定位空間１３２にベース脚２１を挿入して定位することが可能である。
ベース脚２１の上端には、水平線Ｓとの予定の開角Ｒで上方に傾斜して延び、張力Ｔによって上方に弾性的に曲がり可能な円弧形トレイ２２が設けられている。円弧形トレイ２２の端面２２１には、ベース脚２１の反対面を囲む区域に折線軌跡２２２が設けられている。折線軌跡２２２の両側には、中央円弧面２３と、周辺円弧面２４と、がそれぞれ設けられている。
周辺円弧面２４は、折線軌跡２２２をハブとして、下方に弾性的に曲がって受け部１２の規制環状壁１２１をカバーして封止することが可能である。そして周辺円弧面２４は、折線軌跡２２２をハブとして、上方に弾性的に曲がって受け部１２から離れることが可能である。周辺円弧面２４の端面の下側には、漏止条２４１が設けられている。漏止条２４１は止め肩部１２１Ａに密着する。このため、瓶口３１の開閉は便利である。
【００１９】
次に、図１を参照して本考案の使用方法を説明する。まず、固定挟み台１３の定位空間１３２にベース脚２１の下端のヘッド部２１１を挿入して、複数の挟みシート１３１によりヘッド部２１１が挟まれて定位する。本考案の封止子を取外したいときには、固定挟み台１３の定位空間１３２から、ベース脚２１の下端のヘッド部２１１を引き出す。このように、本考案の封止子の脱着は極めて容易である。
【００２０】
開けられた容器３０を封止したいときには、図３及び図５に示すように、容器３０の瓶口３１に中空プラグ１１を嵌合して緊迫して、ベース脚２１の上端の円弧形トレイ２２が弾性を有するため、円弧形トレイ２２は、張力Ｔを受けると、その端面２２１が上方に弾性的に曲がって開角Ｒで傾斜し、中央円弧面２３が凹んだ状態となる。
このとき、円弧形トレイ２２の周縁に押さえると、図２、図４及び図５に示すように、周辺円弧面２４が折線軌跡２２２をハブとして下方に曲がると同時に、張力Ｔによって円弧形トレイ２２が下方に曲がる。このように、端面２２１の中央円弧面２３が膨らんで、受け部１２の規制環状壁１２１が緊迫されて封止状態となって、容器３０が封止される。
【００２１】
容器３０を開けたいときには、図３及び図５に示すように、円弧形トレイ２２の端面２２１の膨らんでいる中央円弧面２３を軽く押さえると、張力Ｔによって周辺円弧面２４が上げられて、指で周辺円弧面２４を引上げると、周辺円弧面２４は、折線軌跡２２２をハブとして上方に曲がって、開角Ｒで傾斜する。このように、貫通孔１２２から内容物を外部に容易に注ぐことが可能である。
【００２２】
本考案の簡便式瓶口封止装置は、容器３０の瓶口３１に嵌合すると、容器３０の内部の気圧を受けるため、容器３０を開けているときに、円弧形トレイ２２の端面２２１の膨らんでいる中央円弧面２３を押さえることによる気圧は、図５及び図６に示すように、固定挟み台１３の下側に設けられている空気案内穴１３３から空気案内チューブ１３４を経由してリリースされる。このため、中央円弧面２３の押下げ及び周辺円弧面２４の上方への曲がりはスムーズとなる。
また、図２及び図６に示すように、貫通孔１２２から内容物を外部に注いでいるときには、導流ウォール１２３による緩衝及び注ぎ口１２３Ａによるガイドにより、内容物の流出が順調となる。残留する少量の内容物は、受け部１２の開角Ｑでの傾斜により、自然に回流することが可能である。すなわち、残留する少量の内容物は、導流ウォール１２３の外側から貫通孔１２２に回流して、容器３０の内部に流入する。
【００２３】
本実施例では、嵌合子１０が容器３０の開口端３１に嵌合し、嵌合子１０の下端は、容器の異なる内径を有する瓶口に嵌合可能な中空プラグ１１であるが、もちろん、嵌合子１０が、メスねじが設けられている蓋であり、容器３０の開口端３１と螺合し、又はその下端が容器３０の開口端３１と一体成形されてもよい。これらは本実施例と同じ効果を達成することが可能である。
【００２４】
本考案は、瓶口封止装置に適用することができる。
【符号の説明】
【００２５】
１０      嵌合子
１１      中空プラグ
１２      受け部
１３      固定挟み台
２０      封止子
２１      ベース脚
２２      円弧形トレイ
２３      中央円弧面
２４      周辺円弧面
３０      容器
３１      開口端
１２１    規制環状壁
１２１Ａ  止め肩部
１２２    貫通孔
１２３    導流ウォール
１２３Ａ  注ぎ口
１３１    挟みシート
１３２    定位空間
１３３    空気案内穴
１３４    空気案内チューブ
２１１    ヘッド部
２２１    端面
２２２    折線軌跡
２４１    漏止条
【図１】
0003191230.tif 000003
【図２】
0003191230.tif 000004
【図３】
0003191230.tif 000005
【図４】
0003191230.tif 000006
【図５】
0003191230.tif 000007
【図６】
0003191230.tif 000008